(57)【要約】【課題】プラズマディスプレイパネルにおいて、パネル本体の電極引出端子にフレキシブル配線板を位置合わせして取り付ける場合に、両者の位置合わせを確実に行えるようにすることを目的とする。【解決手段】電極引出端子を形成したパネル本体と、このパネル本体の電極引出端子に一端が接続され他端が駆動回路ブロックに接続される配線パターン１７を備えたフレキシブル配線板１４とを有し、フレキシブル配線板１４のパネル本体に取り付けられる部分の端部に、パネル本体の位置合わせ用マークとの間で位置合わせを行うための突出部１８を設け、かつそのフレキシブル配線板１４の突出部１８に近接する位置に、フレキシブル配線板１４の突出部１８からフレキシブル配線板１４の端までの距離の合否を判定するための合否判定マーク２１を設けた。【選択図】  図７
2004151308.tif 000002
【特許請求の範囲】
【請求項１】
電極群を配置した一対の基板を基板間に放電空間が形成されるように対向配置しかつ前記基板の端部に前記電極に接続される電極引出端子を形成したパネル本体と、このパネル本体の電極引出端子に一端が接続され他端が駆動回路ブロックに接続される配線パターンを備えたフレキシブル配線板とを有し、前記フレキシブル配線板のパネル本体に取り付けられる部分の端部に、前記パネル本体の位置合わせ用マークとの間で位置合わせを行うための位置合わせ用マークを設け、かつそのフレキシブル配線板の位置合わせ用マークに近接する位置に、フレキシブル配線板の位置合わせ用マークからフレキシブル配線板の端までの距離の合否を判定するための合否判定マークを設けたことを特徴とするプラズマディスプレイパネル。
【請求項２】
フレキシブル配線板の位置合わせ用マークは、配線パターンの一部をフレキシブル配線板の端に向かって突出する突出部を形成することにより構成し、かつ前記合否判定マークは、前記突出部の先端とフレキシブル配線板の端との間の間隔をＬとしたとき、合否判定マークの一端とフレキシブル配線板の端との間の間隔が前記間隔Ｌよりも短く、合否判定マークの他端とフレキシブル配線板の端との間の間隔が前記間隔Ｌよりも長くなるように設けた請求項１に記載のプラズマディスプレイパネル。
【発明の詳細な説明】
【０００１】
【発明の属する技術分野】
本発明は、大画面で、薄型、軽量のディスプレイ装置として知られているプラズマディスプレイパネル（以下、ＰＤＰという）に関するものである。
【０００２】
【従来の技術】
ＰＤＰは、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このＰＤＰでは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このＰＤＰには、大別して、駆動的にはＡＣ型とＤＣ型があり、放電形式では面放電型と対向放電型の２種類があるが、高精細化、大画面化及び製造の簡便性から、現状では、ＰＤＰの主流は、３電極構造の面放電型のもので、その構造は、一方の基板上に平行に隣接した表示電極を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
ところで、ＡＣ型として代表的な交流面放電型ＰＤＰは、一般的に、面放電を行う表示電極を配列して形成したガラス基板からなる前面板とアドレス電極を配列して形成したガラス基板からなる背面板とを、両電極がマトリックスを組むように、しかも間隙に放電空間を形成するように平行に対向配置され、その外周部をガラスフリットなどの封着部材によって封着することによりパネル本体が構成されている。そして、前記前面板、背面板から電極端子の引出しを行う場合は、それぞれの電極に外部から電圧が印加できるようにガラス基板の端面近傍まで形成された電極引出端子を設け、この電極引出端子にフレキシブル配線板を、異方性を有する異方導電性接着材を介して圧着することにより電極引出端子と外部回路との接続を行っている（特許文献１参照）。
【０００６】
【特許文献１】
特開平１１−１６５０２号公報
【０００７】
【発明が解決しようとする課題】
ところが、このような電極引出構造を有するＰＤＰにおいて、パネル本体の電極引出端子にフレキシブル配線板を接続する場合、生産設備により、パネル本体とフレキシブル配線板とに設けた位置合わせ用のマークを用いて、両者の位置合わせを行っているが、この生産設備が両者の位置合わせを行えないという障害が発生することがある。
【０００８】
本発明はこのような課題に鑑みなされたもので、パネル本体の電極引出端子にフレキシブル配線板を位置合わせして取り付ける場合に、両者の位置合わせを確実に行えるようにすることを目的とする。
【０００９】
【課題を解決するための手段】
上記目的を達成するために本発明は、フレキシブル配線板のパネル本体に取り付けられる部分の端部に、前記パネル本体の位置合わせ用マークとの間で位置合わせを行うための位置合わせ用マークを設け、かつそのフレキシブル配線板の位置合わせ用マークに近接する位置に、フレキシブル配線板の位置合わせ用マークからフレキシブル配線板の端までの距離の合否を判定するための合否判定マークを設けたものである。
【００１０】
【発明の実施の形態】
すなわち、本発明の請求項１記載の発明は、電極群を配置した一対の基板を基板間に放電空間が形成されるように対向配置しかつ前記基板の端部に前記電極に接続される電極引出端子を形成したパネル本体と、このパネル本体の電極引出端子に一端が接続され他端が駆動回路ブロックに接続される配線パターンを備えたフレキシブル配線板とを有し、前記フレキシブル配線板のパネル本体に取り付けられる部分の端部に、前記パネル本体の位置合わせ用マークとの間で位置合わせを行うための位置合わせ用マークを設け、かつそのフレキシブル配線板の位置合わせ用マークに近接する位置に、フレキシブル配線板の位置合わせ用マークからフレキシブル配線板の端までの距離の合否を判定するための合否判定マークを設けたことを特徴とする。
【００１１】
また、請求項２に記載の発明は、請求項１において、フレキシブル配線板の位置合わせ用マークは、配線パターンの一部をフレキシブル配線板の端に向かって突出する突出部を形成することにより構成し、かつ前記合否判定マークは、前記突出部の先端とフレキシブル配線板の端との間の間隔をＬとしたとき、合否判定マークの一端とフレキシブル配線板の端との間の間隔が前記間隔Ｌよりも短く、合否判定マークの他端とフレキシブル配線板の端との間の間隔が前記間隔Ｌよりも長くなるように設けたものである。
【００１２】
以下、本発明の一実施の形態によるＰＤＰについて、図１〜図７を用いて説明するが、本発明の実施の態様はこれに限定されるものではない。
【００１３】
まず、ＰＤＰにおけるパネル本体の構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【００１５】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１６】
図２にこのパネル本体の電極配列を示しており、図２に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【００１７】
このような電極構成のＰＤＰにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１８】
図３はこのような構成のＰＤＰにおいて、パネル本体に電極引出を行うためのフレキシブル配線板を取り付けた状態を示す図、図４はフレキシブル配線板を取り付ける前のパネル本体を示す図であり、図４（ａ）、（ｂ）はそれぞれパネル本体を背面側、前面側から見た図である。
【００１９】
図３において、１０は図１に示すパネル本体で、このパネル本体１０の前面板１１及び背面板１２はほぼ矩形状であり長辺と短辺を有している。図４（ａ）に示すように、前面板１１の短辺である左右両端部の封着部材より外側の縁部には、スキャン電極及びサステイン電極の表示電極２それぞれに接続された複数本の電極引出端子が複数のブロックに分けられて形成されている。すなわち、所定の複数本の端子で１ブロックが構成された端子ブロック１３が複数設けられており、各々の端子ブロック１３には図３に示すように、フレキシブル配線板１４が接続されている。また図４（ｂ）に示すように、背面板１２の長辺である上下両端部の封着材より外側の縁部には、アドレス電極７に接続された複数本の電極端子が複数のブロックに分けられて形成されている。すなわち、所定の複数本の端子で１ブロックが構成された端子ブロック１５が複数設けられており、各々の端子ブロック１５に同じく図３に示すように、フレキシブル配線板１４が接続される。
【００２０】
フレキシブル配線板１４は、パネル本体１０のスキャン電極及びサステイン電極の表示電極２の電極引出端子とスキャンドライバ回路、サステインドライバ回路のプリント配線板とを接続するとともに、パネル本体１０のアドレス電極７の電極引出端子とアドレスドライバ回路のプリント配線板とを接続するもので、パネル本体１０の外周部を通して、前面側から背面側に３６０度湾曲させて引き回される。
【００２１】
図５は、パネル本体の電極引出端子にフレキシブル配線板を接続する場合における両者の位置合わせを行っている状況を示す図、図６はフレキシブル配線板の位置合わせ用マークにおける課題を説明するための図である。
【００２２】
フレキシブル配線板１４は、図５に示すように、樹脂からなる絶縁フィルム１６間に銅箔などからなる複数本の配線パターン１７を挟み込むことにより構成されており、パネル本体１０の電極引出端子及び駆動回路ブロックに接続される両端部に配線パターン１７を露出させた構成である。そして、フレキシブル配線板１４のパネル本体１０に取り付けられる部分の端部に、フレキシブル配線板１４の複数本の配線パターン１７のうち、端部の配線パターン１７にフレキシブル配線板１４の絶縁フィルム１６の端に向かって突出する突出部１８を形成することにより、位置合わせ用マークを設けている。また、パネル本体１０の電極引出端子１９が設けられた端部には、図５に示すように位置合わせ用マーク２０が設けられている。
【００２３】
すなわち、フレキシブル配線板１４をパネル本体１０に取り付ける場合には、パネル本体１０の位置合わせ用マーク２０と、フレキシブル配線板１４に設けた突出部１８とを用いて、両者の位置合わせを行うことができるのである。
【００２４】
ところで、パネル本体１０の電極引出端子１９にフレキシブル配線板１４を接続する場合、生産設備により、パネル本体１０の位置合わせ用マーク２０とフレキシブル配線板１４の突出部１８との位置関係を認識することにより、両者の位置合わせを行っているが、上述したように、生産設備が両者の位置合わせを行えないという障害が発生することがある。
【００２５】
この点について検討したところ、図６に示すように、フレキシブル配線板１４の突出部１８とフレキシブル配線板１４の端までの間隔によって、パネル本体１０の位置合わせ用マーク２０との間での位置合わせに影響があることが判明した。すなわち、図６（ａ）に示すように、フレキシブル配線板１４の突出部１８とフレキシブル配線板１４の端までの間隔が所定の値以上の場合、フレキシブル配線板１４の位置合わせ用マークである突出部１８を認識し、パネル本体１０の位置合わせ用マーク２０との間での位置合わせを問題なく行うことができるが、図６（ｂ）に示すように、フレキシブル配線板１４の突出部１８とフレキシブル配線板１４の端までの間隔が狭いと、フレキシブル配線板１４の位置合わせ用マークである突出部１８を認識できず、パネル本体１０の位置合わせ用マーク２０との間での位置合わせを行うことができなくなることが判明した。
【００２６】
そこで、本発明においては、フレキシブル配線板１４の位置合わせ用マークである突出部１８に近接する位置に、フレキシブル配線板１４の突出部１８からフレキシブル配線板１４の端までの距離の合否を判定するための合否判定マークを設けたものである。
【００２７】
図７は本発明の一実施の形態におけるフレキシブル配線板の要部を示す図で、図７において、２１は逆Ｌ字形状の合否判定マークであり、この合否判定マーク２１は、配線パターン１７を設ける際に、その配線パターン１７と同様に銅箔などにより形成される。また、この合否判定マーク２１は、前記突出部１８の先端とフレキシブル配線板１４の端との間の間隔をＬとしたとき、合否判定マーク２１の一端とフレキシブル配線板１４の端との間の間隔ｌ１が前記間隔Ｌよりも短く、合否判定マーク２１の他端とフレキシブル配線板１４の端との間の間隔ｌ２が前記間隔Ｌよりも長くなるように設けたものである。
【００２８】
すなわち、この合否判定マーク２１を設けることにより、合否判定マーク２１からフレキシブル配線板１４の端までの間隔ｌ１が存在する、言い換えれば、フレキシブル配線板１４の突出部１８とフレキシブル配線板１４の端までの間隔が所定の値以上あるかどうかを容易に判別することができ、フレキシブル配線板１４をパネル本体１０に取り付ける際に、パネル本体１０の位置合わせ用マーク２０との間での位置合わせを問題なく行うことができる。
【００２９】
【発明の効果】
以上の説明から明らかなように、本発明によるＰＤＰによれば、フレキシブル配線板に合否判定マークを設けるという簡単な構成で、パネル本体の電極引出端子にフレキシブル配線板を位置合わせして取り付ける場合に、両者の位置合わせを確実に行えるという効果が得られる。
【図面の簡単な説明】
【図１】本発明の一実施の形態によるＰＤＰのパネル本体の概略構成を示す斜視図
【図２】同ＰＤＰの電極配列を示す説明図
【図３】同ＰＤＰにおいて、パネル本体に電極引出を行うためのフレキシブル配線板を取り付けた状態を示す平面図
【図４】（ａ）、（ｂ）は同ＰＤＰにおいて、フレキシブル配線板を取り付ける前のパネル本体を背面側、前面側から見た平面図
【図５】同ＰＤＰにおいて、電極引出端子部分を拡大して示す平面図
【図６】（ａ）、（ｂ）はフレキシブル配線板の位置合わせ用マークにおける課題を説明するための平面図
【図７】本発明の一実施の形態によるＰＤＰにおけるフレキシブル配線板の要部を示す平面図
【符号の説明】
１、５  基板
２  表示電極
７  アドレス電極
１０  パネル本体
１４  フレキシブル配線板
１７  配線パターン
１８  突出部
１９  電極引出端子
２０  位置合わせ用マーク
２１  合否判定マーク
【図１】
2004151308.tif 000003
【図２】
2004151308.tif 000004
【図３】
2004151308.tif 000005
【図４】
2004151308.tif 000006
【図５】
2004151308.tif 000007
【図６】
2004151308.tif 000008
【図７】
2004151308.tif 000009